(57)【要約】      （修正有）【課題】冷却用の空気から気化熱を奪い、特別な追加エネルギを消費しないで、冷房・冷凍高率を向上させることができる節電用空気フィルタを提供する。【解決手段】プラスチック製や天然または合成ゴム製や天然または化学繊維製または紙製の空気フィルタ素材に、３２〜３８テラヘルツの共鳴電磁波を、２〜１２時間、２０℃〜９０℃の温度条件下で、照射することで、当該空気フィルタ素材自体を、当該共鳴電磁波の転写放射体とすることにより３２〜３８テラヘルツの転共鳴電磁波１６を放射することを特徴とする。冷房・冷凍装置の空気フィルタ１２から放射される３２〜３８テラヘルツの共鳴電磁波で、当該装置に取り入れる空気を活性化し、当該装置内の結露等の水分を低温で活発に蒸発させる。【選択図】図２
0003214187.tif 000002
【実用新案登録請求の範囲】
【請求項１】
プラスチック製や天然または合成ゴム製や天然または化学繊維製または紙製の空気フィルタ素材に、３２〜３８テラヘルツの共鳴電磁波を、２〜１２時間、２０℃〜９０℃の温度条件下で、照射することで、当該空気フィルタ素材自体を、当該共鳴電磁波の転写放射体とすることにより３２〜３８テラヘルツの転共鳴電磁波を放射することを特徴とするプラスチック製や天然または合成ゴム製や天然または化学繊維製または紙製の空気フィルタ素材を使用した空気フィルタ。
【考案の詳細な説明】
【技術分野】
【０００１】  本考案は空調装置や冷蔵・冷房・冷凍装置の省エネや節電を目的として、３２〜３８テラヘルツの共鳴電磁波を放射する材料で作製された節電用空気フィルタに関するものである。
【背景技術】
【０００２】  近年、消臭や抗菌剤処理をした機能性のある空気用フィルタが開発されている。【０００３】  また、遠赤外線やその他の周波数領域の電磁波を発振する鉱物や金属やセラミックを練りこんだ空気用フィルタが、室内空気の改善を目的として開発されているが、効果の安定性や均一性や耐久性に問題があるものがほとんどである。その主な理由として遠赤外線領域電磁波の発生源や周波数が特定されておらず、また現在の技術レベルでその周波数や効果を定量的に解析することが難しいためと考えられる。
【特許文献１】特開２０１１−１７７５１８
【特許文献２】特開２００６−５０８０９７
【０００４】  冷房・冷凍装置の省エネや節電は、外部の排熱やエネルギを有効利用することによる方法がほとんどである。また、冷却用空気を除湿することにより顕熱負荷を減少させる方法も開発されている。
【特許文献３】特開２００１−１９３９６５
【特許文献４】特開２０００−３３７６６９
【特許文献５】特開２００７−３２７７９
【考案の概要】
【考案が解決しようとする課題】
【０００５】  従来の空調装置や冷蔵・冷房・冷凍装置の省エネや節電は、排熱の有効利用等の外部エネルギを利用するものが殆どで、系全体としてはエネルギを節約できなかったり、省エネ節電装置が大型化する問題があった。【０００６】  また、上記の欠点を解決するために、除湿フィルタや除湿ローターで、冷房用空気の除湿を行い顕熱負荷を減少させる方法も開発されているが、室内冷房用空気が乾燥しすぎて、利用者に乾燥肌等の健康被害を発生させるという問題もあった。
【課題を解決するための手段】
【０００７】  このような課題を解決するために本考案者は、３２〜３８テラヘルツの共鳴電磁波を発振するフィルタを、吸気側に取り付けた送風機により水道水や井戸水を曝気すると、当該水の水分子間の水素結合が共振励起され分離し、当該水の水分子クラスタが微細化し、当該水のＰＨ値が１．５〜２程大きくなり弱アルカリ化し、当該水の酸化還元電位が還元側になることを見出し、本考案をなすに至った。【０００８】  すなわち、上記課題を解決するために、本考案では、３２〜３８テラヘルツの共鳴電磁波を放射する空気フィルタを、冷房・冷凍装置の吸気側に取り付け、室内空気または冷凍冷蔵庫内の循環空気に含まれる水分の水分子間の水素結合を分離し、当該空気を活性化する。【０００９】  また、３２〜３８テラヘルツの共鳴電磁波で活性化された室内空気または、冷凍冷蔵庫内の循環空気は、冷房・冷蔵・冷凍装置の熱交換器表面の結露水滴の水素結合を分離し単分子化し、低温条件下での蒸発を活発にし、冷房用空気や庫内循環空気を適度に加湿するとともに、当該空気から気化熱を奪い、温度を下げる。
【考案の効果】
【００１０】  本考案の空調装置や冷蔵・冷凍装置の節電用空気フィルタによれば、当該空気フィルタの放射する３２〜３８テラヘルツの共鳴電磁波で、室内空気や冷蔵冷凍庫の循環空気を活性化し、当該冷房冷凍装置内に付着する水滴を低温条件下で蒸散させ、気化熱を奪うことにより、当該冷房用空気や冷凍用循環空気の温度を無動力で下げることができる。【００１１】  また本考案の空調装置や冷蔵・冷凍装置の節電用空気フィルタによれば、冷房装置の室内空気に適度な湿度を加湿することができ、冷房病や乾燥肌の対策としての効果がある。【００１２】  また本考案の節電用空気フィルタによれば、冷凍冷蔵庫内の循環空気を活性化することができ、当該冷蔵冷凍庫内の結露及び霜の形成を抑制することができ、除霜回数を減らすことができ、省エネや節電に効果がある。
【考案を実施するための形態】
【００１３】  以下、本考案の実施形態について図面を参照しながら詳細に説明する。
図１は、本考案の節電用空気フィルタの製造方法を示すイメージ図である。
図２は、本考案の節電用空気フィルタ用の作用を示す断面図である。
【００１４】  図１に示すように、共鳴電磁波放射体１の上に、節電用空気フィルタ素材２を密着させて置き当該放射体１から放射される３２〜３８テラヘルツの共鳴電磁波４を、当該節電用空気フィルタ素材２に、２〜１２時間照射する。
【００１５】  当該共鳴電磁波放射体１の下には２０℃〜９０℃の温度調節が可能なヒーター３が設けられていて、３２〜３８テラヘルツの共鳴電磁波４を節電用空気フィルタ素材２に効率良く照射できる。
【００１６】  図２に示すように、本考案の節電用空気フィルタ１２を、空気循環装置または空気供給装置の空気の吸い込み側に取り付ける。
【００１７】  図２に示すように、室内空気１８は、送風機１３により、３２〜３８テラヘルツの転写共鳴電磁波１６を放射する節電用空気フィルタ１２を通過して、熱交換器１４に送られ、冷却される。
【００１８】  節電用空気フィルタ１２から放射される３２〜３８テラヘルツの転写共鳴電磁波１６により、室内空気１８が、当該電磁波の転写体となる活性空気１９となり、３２〜３８テラヘルツの転写共鳴電磁波１６を放射する。
【００１９】  活性空気１９が、熱交換器１４で熱を奪われ冷房用空気２０となる際、熱交換器表面の結露１５の水分子間の水素結合が、活性空気１９の放射する３２〜３８テラヘルツの転写共鳴電磁波１６で共振励起され、分離し、当該水分子が単分子化することにより、液相から気相への相変化が容易になり、低温でも活発に水蒸気１となり蒸発し、活性空気１９から気化熱を奪う。
【００２０】  熱交換器１４による冷却に、結露１５の低温蒸散による気化熱が加わることにより、外部エネルギを全く与えることなく、冷房用空気２０をさらに冷却することが可能となり、冷房効率が向上する。
【００２１】  また、一般的な冷房装置の場合、室内空気から湿度を奪うことにより冷却するため、乾燥空気による乾燥肌の問題があったが、本考案によれば、冷房用空気に、水蒸気１７が加わるため、加湿効果も得られる。
【００２２】  また、前述の説明は、冷房装置と限定しているが、冷蔵庫や冷凍庫のように、庫内の空気を、熱交換器で冷却し、循環するシステムの冷却装置は、同じように、冷却効率が向上する。
【実施例】
【００２３】  本考案による節電用空気フィルタを、考案者の自宅の冷房装置に取り付け、前年の消費電気量と比較したところ約３８％の節電が確認された。また本考案の節電用空気フィルタの取り付け前と後の、冷房用空気の温度を遠隔放射温度計で測定したところ、当該フィルタ取り付け後の方が約２℃、冷房用空気の吹き出し部での温度が下がり、冷房用空気の湿度が１０〜２０％上昇することが確認できた。
【産業上の利用可能性】
【００２４】  本考案は、空調装置や冷凍冷蔵庫の省エネや節電だけでなく、自動販売機や冷凍コンテナーの省エネや節電にも利用できる。
【図面の簡単な説明】
【００２５】
【図１】は、本考案の節電用空気フィルタの製造方法を示すイメージ図である。
【図２】は、本考案の節電用空気フィルタの作用を示す断面図である。
【符号の説明】
【００２６】  １    共鳴電磁波放射体
２    節電用空気フィルタ素材
３    ヒーター
４    共鳴電磁波
１１  冷房装置本体
１２  節電用空気フィルタ
１３  送風機
１４  熱交換器
１５  結露
１６  転写共鳴電磁波
１７  水蒸気
１８  室内空気
１９  活性空気
２０  冷房用空気
【図１】
0003214187.tif 000003
【図２】
0003214187.tif 000004